(57)【要約】【課題】本発明は配管材のつば部に装着することが容易で、且つ簡単に脱落することもなく、輸送に便利な管端カバー具の提供を目的とする。  また、つば出し管に予めルーズフランジを装着した場合に、ルーズフランジの固定及び保護も可能な管端カバー具の提供を目的とする。【解決手段】端部につば部を有する配管材の当該端部に装着する管端カバー具であって、管端カバー具は管端面側に位置する端面部と、端面部に対向配置した裏面部と、左右及び底部に設けた側面部とで内側に管端部を収納する管端収納室を形成し、裏面部は、管体を側部から収納する管体収納凹部を切り欠き形成し、且つ管体収納凹部の開口寸法は、つば部外径寸法よりも小さくなっていて、端面部は前後方向に折り曲げ可能な折返片を有していることを特徴とする。【選択図】  図１
2010247856.tif 000002
【特許請求の範囲】
【請求項１】
端部につば部を有する配管材の当該端部に装着する管端カバー具であって、
管端カバー具は管端面側に位置する端面部と、端面部に対向配置した裏面部と、左右及び底部に設けた側面部とで内側に管端部を収納する管端収納室を形成し、
裏面部は、管体を側部から収納する管体収納凹部を切り欠き形成し、且つ管体収納凹部の開口寸法は、つば部外径寸法よりも小さくなっていて、
端面部は前後方向に折り曲げ可能な折返片を有していることを特徴とする管端カバー具。
【請求項２】
配管材は予めルーズフランジを装着してあり、
管端収納室は、配管材のつば部側にルーズフランジを引き寄せることで当該つば部とルーズフランジをともに収納可能になっていることを特徴とする請求項１記載の管端カバー具。
【請求項３】
前記折返片は手指を差し入れることができる手掛け孔を有していることを特徴とする請求項１又は２記載の管端カバー具。
【発明の詳細な説明】
【技術分野】
【０００１】
本発明は、端部につば部を有する、つば出し管、ラップジョイント及びフレア継手等の各種配管材の端部に装着するカバー具に関する。
【背景技術】
【０００２】
鋼管等の配管材の分野においては、端部につば部を形成したつば出し管、ラップジョイント、あるいは端部にフレア加工を施したフレア継手等、つば付きの配管材が広く採用されている。
また、つば出し管の場合に予めルーズフランジを装着したものもある。
この場合、つば出し管を輸送する際には管体にルーズフランジを装着したままの状態になるが、ルーズフランジは管体の外周に沿って、自由に移動できるので、このままでは運搬時の取扱いに不便であるだけでなく、ルーズフランジの接合面にキズが付いたり、つば部が変形したりするトラブルがあった。
特に大口径の管体になると長さも３〜６ｍ有し、ルーズフランジが移動することは運搬に支障をきたす恐れが高い。
そこで、従来はルーズフランジをつば部に寄せることで端部に板材を当て、この板材とともにルーズフランジが動かないようにひも材等を用いて、梱包していた。
このような梱包作業は資材を多く使用し、作業工数も多くかかるだけでなく、運搬時の取扱いが大変であった。
【０００３】
特開２００４−９９１３９号公報には、筒状体の包装方法を開示するが、つば出し管に適用できるものではない。
【先行技術文献】
【特許文献】
【０００４】
【特許文献１】特開２００４−９９１３９号公報
【発明の概要】
【発明が解決しようとする課題】
【０００５】
本発明は配管材のつば部に装着することが容易で、且つ簡単に脱落することもなく、輸送に便利な管端カバー具の提供を目的とする。
また、つば出し管に予めルーズフランジを装着した場合に、ルーズフランジの固定及び保護も可能な管端カバー具の提供を目的とする。
【課題を解決するための手段】
【０００６】
本発明に係る管端カバー具は、端部につば部を有する配管材の当該端部に装着する管端カバー具であって、管端カバー具は管端面側に位置する端面部と、端面部に対向配置した裏面部と、左右及び底部に設けた側面部とで内側に管端部を収納する管端収納室を形成し、
裏面部は、管体を側部から収納する管体収納凹部を切り欠き形成し、且つ管体収納凹部の開口寸法は、つば部外径寸法よりも小さくなっていて、端面部は前後方向に折り曲げ可能な折返片を有していることを特徴とする。
ここで、端部につば部を有する配管材と表現したのは、本発明は端部のつば部に装着してこの端部を保護するのが目的であり、端部につば部を有する配管材であれば、例えば、端部につば部を形成したつば出し管、ラップジョイント、あるいは端部にフレア加工を施したフレア継手等、各種配管材に適用できる趣旨である。
本発明に係る管端カバー具は、つば部を保護できるものであれば、特に材質を問わないが、安価で緩衝性の高いものとしては厚紙や段ボール製が好ましい。
【０００７】
ここで、配管材に予めルーズフランジを装着してある場合には、管端収納室がつば出し管のつば部側にルーズフランジを引き寄せることで当該つば部とルーズフランジをともに収納可能になっていると、本発明に係る管端カバー具を装着するだけでルーズフランジを固定し、また、つば部を保護できる。
また、折返片は手指を差し入れることができる手掛け孔を有していてもよい。
【発明の効果】
【０００８】
本発明に係る管端カバー具にあっては、管体等の端部に有するつば部を横方向から管端収納室に押し込むように装着し、折返片を管内に向けて折り曲げるだけで、管端部に容易に管端カバー具を装着でき、折返片が管の内側に入り込んでいるので脱落を防止する。
また、管体の運搬時には折返片が内側に折り曲がることで形成される開口部に手を掛けることができるので運搬も容易である。
【０００９】
管端カバー具を取り外すときには折返片を外側に向けて反対に折り返すだけでよい。
【００１０】
また、管端収納室にルーズフランジをつば部側に寄せてそのまま本発明に係る管端カバー具を装着すると、つば部の端面は管端カバー具の端面部に当たり、ルーズフランジの管端と反対側の面が管端カバー具の裏面部に当たるので、ルーズフランジの移動を規制するだけでなく、ルーズフランジがキズ付くのを防止する。
【図面の簡単な説明】
【００１１】
【図１】（ａ）は本発明に係る管端カバー具を示し、（ｂ）は管端カバー具を管体のつば部に装着した状態を示す。
【図２】（ａ）は管端カバー具の折返片を折り曲げた状態を示し、（ｂ）は管端カバー具の展開図を示す。
【図３】（ａ）はルーズフランジを管体に通し装着した状態を示し、（ｂ）はルーズフランジを管体から取り外した状態を示す。
【図４】（ａ）は管端のつば部にのみ装着する管端カバー具の例を示し、（ｂ）は管体に装着した状態を示す。
【図５】（ａ）第２の実施例に係る管端カバー具の外観図を示し、（ｂ）は展開図を示す。
【発明を実施するための形態】
【００１２】
本発明に係る管端カバー具をつば出し管に適用した例で以下説明するが、これに限定されない。
図３につば出し管の例を示し、つば出し管は管体１の端部に、外側に折り返したつば部１ａを有する。
この種の管体は管体１にルーズフランジ２を装着し、配管接続する一対のつば部の間にガスケット等のシール材を挟み込み、両側から一対のルーズフランジ２でボルトナット締結することで配管接続される。
従って、ルーズフランジ２は中央部に管体２の挿入孔２ａと、複数のボルト挿通孔２ｂを有している。
この種のつば出し管の場合には管体の両端につば部を有するので、つば部の成形前にルーズフランジ２を装着することになるために、このままではルーズフランジ２は管体１の外周に沿って自由に移動することができる。
【００１３】
そこで、本発明に係る管端カバー具１０は図１及び図２に示すように、管体１のつば部１ａ側の端面に位置する端面部１１と端面部に対向配置された裏面部１２とを左右の側面部１２ａ，１２ａと底部１２ｂとでつないだ箱状になっている。
図１に示すように、裏面部１２には開口部側から切り欠いた管体収納凹部Ｒを有し、この管体収納凹部Ｒの開口幅寸法Ｗは管体１の外径が収まればよく、少なくともつば部１ａの外径よりも小さくなっている。
また、管体収納室Ｓの開口厚み寸法Ｔはつば部１ａの厚みとルーズフランジ２の厚みを合計した値に概ね一致させている。
これにより、図１（ｂ）に示すように、ルーズフランジ２をつば部１ａ側に引き寄せ、管端カバー具１０を装着するだけで、ルーズフランジ２をつば部１ａ側に固定し、ルーズフランジ２の移動を規制し、保護する。
【００１４】
端面部１１は半円状の切り込み線１１ｅを入れ、折り曲げ部１１ｃを中心に前後に折返し可能な折返片１１ａを形成してある。
この折返片１１ａの形状は半円状に限定されないが、管体１の内径が一般的に円形状なのでそれに合せるのがよい。
図１（ｂ）に示すように管端カバー具１０をつば部１ａに装着し、折返片１１ａを内側に折り返すことで管端カバー具１０が脱落するのを防止し、また開口部から手を入れて運搬できる。
【００１５】
つば部１ａから管端カバー具１０を取り外す場合には、折返片１１ａに設けた手掛け孔１１ｂに指先を入れ、外側に向けて反対に折り返すことで容易に取り外すことができる。
【００１６】
本発明に係る管端カバー具１０は、段ボール紙等を用いて展開図を図２（ｂ）に示すように裁断し、折り曲げ線ｄに沿って端面部１１と裏面部１２とが対向するように折り曲げ、側面部１２ａと１１ｄを重ね合せて貼着することで簡単に製作できる。
【００１７】
図４及び図５はつば部１ａ単独で装着する場合の管端カバー具２０の例を示す。
この場合には、つば部１ａの厚みが薄いので端面部２１と裏面部２２との間に切り込み線２４を入れ、その両側の折り曲げ線ｄに沿って折り曲げるとよい。
また、側面部はテープ材２３等で連結するだけでもよい。
本実施例においても端面部２１には切り込み線２１ｅを入れ、折返片２１ａを形成し、折り曲げ部２１ｃを支点に前後方向に折り返すことができ、折返片２１ａには手掛け孔２１ｂを設けてある。
また、裏面部２２には管体１の外径に合致させ、つば部１ａの外径寸法より小さい管体収納凹部Ｒを有する。
図４（ｂ）に管端カバー具２０をつば部１ａに装着した状態を示す。
【符号の説明】
【００１８】
１        管
２        ルーズフランジ
１０      管端カバー具
１１      端面部
１１ａ    折返片
１２      裏面部
１２ａ    側面部
Ｒ        管体収納凹部
Ｓ        管端収納室
【図１】
2010247856.tif 000003
【図２】
2010247856.tif 000004
【図３】
2010247856.tif 000005
【図４】
2010247856.tif 000006
【図５】
2010247856.tif 000007